(57)【要約】【課題】光ディスク等の複数の記録媒体を格納することが可能であり、記録媒体からのデータ出力を迅速に実行することができるデータ読出装置を提供する。【解決手段】本発明のデータ読出装置は、複数のトレイ３，３，…を用いて複数の光ディスク（記録媒体）を格納することが可能なディスクチェンジャであり、任意の光ディスクを格納した場合に、光ディスクが記録しているデータの一部を読み出し、保存用メモリ（記憶手段）１２に記憶しておく。データ読出装置は、データの読み出し指示を受け付けた場合に、実際に光ディスクからデータを読み出すまでの間の時間に、保存用メモリ１２に記憶してあるデータを読み出してバッファメモリ１３に記憶し、バッファメモリ１３からデータを読み出して外部へ出力する。光ディスクからのデータ読み出しを開始した後は、光ディスクからデータを読み出してバッファメモリ１３に記憶する。【選択図】図１
2011108338.tif 000002
【特許請求の範囲】
【請求項１】
複数の可搬型の記録媒体を格納することが可能な格納手段と、該格納手段が格納している記録媒体が記録しているデータを読み出す読出手段とを備えるデータ読出装置において、
前記格納手段が格納している記録媒体が記録しているデータの一部を記憶する不揮発性の記憶手段と、
前記格納手段が格納している記録媒体からデータを読み出すことを指示する読み出し指示を受け付ける手段と、
該手段が前記読み出し指示を受け付けた場合に、データの読み出し対象である記録媒体から前記読出手段がデータの読み出しを開始する前に、前記記録媒体が記録しているデータの内で前記記憶手段で記憶しているデータを前記記憶手段から読み出す手段と
を備えることを特徴とするデータ読出装置。
【請求項２】
記録媒体が前記格納手段に格納された場合に、前記記録媒体が記録しているデータの前記記録媒体での記録位置を示す記録位置情報、及び前記記録媒体に先頭の記録位置から順に記録されている所定量のデータを前記読出手段に読み出させる手段と、
前記記録媒体を識別するための情報に関連付けて、前記記録媒体から読み出した記録位置情報及びデータを、前記記憶手段に記憶させる手段と
を備えることを特徴とする請求項１に記載のデータ読出装置。
【請求項３】
バッファメモリと、
前記記憶手段から読み出したデータを前記バッファメモリに記憶させる手段と、
前記読出手段が記録媒体から読み出したデータを前記バッファメモリに記憶させる手段と、
前記バッファメモリが記憶するデータを外部へ出力する手段と
を備えることを特徴とする請求項１又は２に記載のデータ読出装置。
【発明の詳細な説明】
【技術分野】
【０００１】
本発明は、複数の記録媒体を格納することが可能であり、いずれかの記録媒体からデータを読み出すことができるデータ読出装置に関する。
【背景技術】
【０００２】
従来、ＡＶ（オーディオ・ビジュアル）装置又はＰＣ（パーソナルコンピュータ）等で利用するデータを記録する可搬型の記録媒体として、ＣＤ（Compact Disc）、ＤＶＤ（Digital Versatile Disk）又はＢＤ（Blu-ray Disc）等の光ディスクが広く利用されている。一枚の光ディスクに記録されるデータ量は限りがあるので、大量のデータを必要とする用途では、複数の光ディスクからデータを読み出すことができるデータ読出装置が利用される。このようなデータ読出装置は、複数のトレイ又はターンテーブル等を用いて複数の光ディスクを格納する機能と、格納している光ディスクからデータを読み出す光ディスクドライブとを備えたディスクチェンジャである。ディスクチェンジャは、格納している光ディスクの中から一の光ディスクを選択し、選択した光ディスクを光ディスクドライブの位置へ移動させるか、又は光ディスクドライブを光ディスクの位置へ移動させ、光ディスクドライブで光ディスクからデータを読み出す。ディスクチェンジャは、読み出したデータをＡＶ装置又はＰＣ等の外部の装置へ出力し、音楽再生等のデータ処理が行われる。このようなディスクチェンジャを利用することにより、長時間に亘る音楽の再生又は大量のデータの中から任意のデータを検索する処理等、大量のデータを用いたデータ処理が可能となる。特許文献１には、ディスクチェンジャに格納された複数の光ディスクに記録されたデータをＰＣで管理する技術が開示されている。
【先行技術文献】
【特許文献】
【０００３】
【特許文献１】特開平９−２７４５７９号広報
【発明の概要】
【発明が解決しようとする課題】
【０００４】
従来のディスクチェンジャは、データの出力を指示された場合に、データを読み出す光ディスクを選択し、光ディスクを光ディスクドライブの位置へ移動させるか、又は光ディスクドライブを光ディスクの位置へ移動させ、データの読み出しを開始し、読み出したデータを出力する。このため、データの出力を指示されてから実際にデータを出力するまでにタイムラグがあるという問題がある。特許文献１に記載の技術では、各光ディスクに記録されたデータに係る情報をＰＣで管理することにより、データの検索は容易であるものの、検索したデータを実際に光ディスクから読み出して出力するまでには、同様にタイムラグがある。
【０００５】
本発明は、斯かる事情に鑑みてなされたものであって、その目的とするところは、実際に光ディスク等の記録媒体からデータを読み出すまでの間の時間に、データの一部の出力を可能にすることにより、記録媒体からのデータ出力を迅速に実行することができるデータ読出装置を提供することにある。
【課題を解決するための手段】
【０００６】
本発明に係るデータ読出装置は、複数の可搬型の記録媒体を格納することが可能な格納手段と、該格納手段が格納している記録媒体が記録しているデータを読み出す読出手段とを備えるデータ読出装置において、前記格納手段が格納している記録媒体が記録しているデータの一部を記憶する不揮発性の記憶手段と、前記格納手段が格納している記録媒体からデータを読み出すことを指示する読み出し指示を受け付ける手段と、該手段が前記読み出し指示を受け付けた場合に、データの読み出し対象である記録媒体から前記読出手段がデータの読み出しを開始する前に、前記記録媒体が記録しているデータの内で前記記憶手段で記憶しているデータを前記記憶手段から読み出す手段とを備えることを特徴とする。
【０００７】
本発明においては、ディスクチェンジャ等、複数の可搬型の記録媒体を格納できるデータ読出装置は、記録媒体が記録しているデータの一部を記憶手段に記憶しておき、データの読み出し指示を受け付けた場合に、実際に記録媒体からデータを読み出すまでの間の時間に、記憶手段に記憶してあるデータを読み出す。
【０００８】
本発明に係るデータ読出装置は、記録媒体が前記格納手段に格納された場合に、前記記録媒体が記録しているデータの前記記録媒体での記録位置を示す記録位置情報、及び前記記録媒体に先頭の記録位置から順に記録されている所定量のデータを前記読出手段に読み出させる手段と、前記記録媒体を識別するための情報に関連付けて、前記記録媒体から読み出した記録位置情報及びデータを、前記記憶手段に記憶させる手段とを備えることを特徴とする。
【０００９】
また本発明においては、データ読出装置に記録媒体を格納した場合に、記録媒体が記録しているデータの一部、及び記録媒体でのデータの記録位置を示す情報を記録媒体から読み出し、記録媒体を識別するための情報に関連付けて記憶手段に記憶する。データの読み出し指示を受け付けた場合は、記憶した情報に基づいて、記録媒体が記録しているデータの内で記憶手段に記憶してるデータを特定し、特定したデータを読み出すことができる。
【００１０】
本発明に係るデータ読出装置は、バッファメモリと、前記記憶手段から読み出したデータを前記バッファメモリに記憶させる手段と、前記読出手段が記録媒体から読み出したデータを前記バッファメモリに記憶させる手段と、前記バッファメモリが記憶するデータを外部へ出力する手段とを備えることを特徴とする。
【００１１】
また本発明においては、記憶手段から読み出したデータをバッファメモリに記憶し、記録媒体から読み出したデータをバッファメモリに記憶し、バッファメモリが記憶するデータを出力することにより、迅速なデータ出力を可能にする。
【発明の効果】
【００１２】
本発明にあっては、データ読出装置は、データ出力の指示を受け付けた場合、記録媒体からのデータ読み出しを開始する前に、記憶手段からデータを読み出してＡＶ装置等の外部の装置へ出力することができるので、データ出力の指示を受け付けてから実際にデータを出力するまでのタイムラグが大幅に短縮される。データ読出装置から迅速にデータが出力されるので、外部の装置は、記録媒体に記録されたデータを用いた音楽再生等のデータ処理を迅速に実行することが可能となる等、本発明は優れた効果を奏する。
【図面の簡単な説明】
【００１３】
【図１】本発明のデータ読出装置であるディスクチェンジャの内部構成を示すブロック図である。
【図２】保存用メモリが記憶する情報の内容例を示す概念図である。
【図３】ディスクチェンジャが光ディスクを格納する際に実行する処理の手順を示すフローチャートである。
【図４】ディスクチェンジャが光ディスクからデータを読み出して出力する処理の手順を示すフローチャートである。
【発明を実施するための形態】
【００１４】
以下本発明をその実施の形態を示す図面に基づき具体的に説明する。
図１は、本発明のデータ読出装置であるディスクチェンジャの内部構成を示すブロック図である。ディスクチェンジャは、ＡＶ装置又はＰＣ等の外部の装置に接続されて、光ディスクから読み出したデータを外部の装置へ出力する動作を行う装置である。本発明に係るディスクチェンジャは、複数の光ディスク（記録媒体）を内部に格納することができる構成となっている。本発明に係るディスクチェンジャは、夫々に光ディスクを格納することができる複数のトレイ３，３，…と、何れかのトレイ３に格納された光ディスクからデータを読み出す光ディスクドライブ部１とを備えている。複数のトレイ３，３，…は本発明における格納手段に対応する。光ディスクドライブ部１は、光ディスクドライブ部１の動作を制御する制御部１１と、本発明における記憶手段である保存用メモリ１２と、バッファメモリ１３と、インタフェース部１４と、駆動部１５と、ピックアップ（読出手段）１６とを備えている。制御部１１は、演算を行う演算部、演算に伴う一時的な情報を記憶するメモリ、及び制御部プログラムを記憶するメモリを含んでなり、光ディスクドライブ部１の動作を制御するための演算を実行する。保存用メモリ１２は、記憶したデータを保存できるように、不揮発性メモリで構成されている。なお、本発明における記憶手段は、光ディスクよりもデータの読み出しが高速である不揮発性の記憶手段であれば、ハードディスク等、半導体メモリ以外の記憶手段であってもよい。バッファメモリ１３は、揮発性又は不揮発性のメモリで構成されている。またバッファメモリ１３は保存用メモリ１２よりもデータの読み出し及び書き込みが高速であることが望ましい。ピックアップ１６は、光ディスクにレーザー光を照射し、反射光の変動を電気信号に変換することにより、光ディスクからデータを読み出す。駆動部１５は、スピンドルモータ等を用いて光ディスクを駆動する。インタフェース部１４は、光ディスクから読み出したデータを出力する。
【００１５】
本発明に係るディスクチェンジャは、更に、ディスクチェンジャ全体の動作を制御する上位制御部２１と、光ディスクドライブ部１に接続されたインタフェース部２４と、外部からの指示を入力される入力部２２と、データを外部へ出力する出力部２３と、トレイ３，３，…の夫々を移動させるための移動部２５とを備えている。上位制御部２１は、演算を行う演算部、演算に伴う一時的な情報を記憶するメモリ、及び制御部プログラムを記憶するメモリを含んでなり、ディスクチェンジャの動作を制御するための演算を実行する。インタフェース部２４は、光ディスクドライブ部１から出力されたデータを受け付ける。入力部２２は、使用者の操作によりトレイ３の指定等の各種の指示を受け付ける操作部、使用者が操作するリモートコントローラ（リモコン）からの信号を受信することにより各種の指示を受け付ける受信部、又は外部の装置に接続されて外部の装置からの制御信号を入力されるインタフェース等で構成されている。出力部２３は、外部の装置に接続されるインタフェースであり、インタフェース部２４が光ディスクドライブ部１から受け付けたデータを外部の装置へ出力する。移動部２５は、モータ等を用いて、トレイ３に格納された光ディスクに記録されたデータを光ディスクドライブ部１で読み出すことができる位置にまで、トレイ３を移動させる機構である。なお、移動部２５は、トレイ３を移動させるのではなく、トレイ３に格納された光ディスクに記録されたデータを光ディスクドライブ部１で読み出すことができる位置にまで光ディスクドライブ部１を移動させる機構であってもよい。また移動部２５は、光ディスクドライブ部１及びトレイ３の両方を移動させる機構であってもよい。
【００１６】
図２は、保存用メモリ１２が記憶する情報の内容例を示す概念図である。トレイ３，３，…のいずれかを示すトレイ番号に関連付けて、トレイ番号が示すトレイ３に格納された光ディスクのディスク番号と、ディレクトリ情報と、光ディスクに記録されているデータの一部である先頭データとが記憶されている。ディスク番号は、個々の光ディスクを識別するための情報であり、各光ディスクに付された固有の番号である。ディレクトリ情報は、光ディスクに記録されたデータファイルの配置を示す情報であり、光ディスクに記録された各データの光ディスク上での記録位置を示している。ディレクトリ情報は、本発明における記録位置情報である。先頭データは、光ディスクの記録領域の内、ディスク番号又はディレクトリ情報等のデータを管理するための情報が記録された管理領域とは別の、実データが記録されている領域の先頭アドレスから順に記録されている所定のデータ量のデータである。光ディスクが、音楽又は映像等のコンテンツを再生するためのコンテンツデータを記録している光ディスクである場合は、先頭データは、コンテンツデータの先頭部分となる。例えば、音楽ＣＤに記録された、最初の楽曲を再生するためのデータは、少なくとも一部が先頭データに含まれる。保存用メモリ１２は、複数のトレイ３，３，…の夫々について、以上の如くトレイ番号、ディスク番号、ディレクトリ情報及び先頭データを互いに関連付けて記憶している。なお、トレイ番号は、光ディスクを識別するための情報として利用できるので、ディスク番号は記憶しない形態であってもよい。
【００１７】
次に、本発明に係るディスクチェンジャの動作を説明する。図３は、ディスクチェンジャが光ディスクを格納する際に実行する処理の手順を示すフローチャートである。ディスクチェンジャは、まず、入力部２２で、トレイ３の引き出しの指示を受け付ける（Ｓ１１）。ステップＳ１１では、入力部２２は、例えば、トレイ３，３，…の夫々に付せられた番号を指定する指示を使用者の操作により受け付けるか、又はトレイ番号を指定する制御信号をリモコン若しくは外部の装置から入力される。上位制御部２１は、次に、引き出しを指示されたトレイ３を移動部２５に移動させることにより、トレイ３に光ディスクを格納させることができるように、トレイ３を外部にむけて引き出す（Ｓ１２）。なお、ディスクチェンジャは、ステップＳ１１でトレイを指定しない引き出し指示を受け付け、ステップＳ１２でトレイ３，３，…の内の光ディスクを格納していないトレイ３を引き出す処理を行ってもよい。
【００１８】
トレイ３が引き出された状態で、使用者は、トレイ３に対して、光ディスクの装着、光ディスクの取り出し、又は光ディスクの交換を行う。この間、ディスクチェンジャは、入力部２２での、トレイ引き入れの指示の受付を待ち受ける（Ｓ１３）。トレイ引き入れの指示の受付がない場合は（Ｓ１３：ＮＯ）、ディスクチェンジャは、指示の受付の待ち受けを続行する。作業を終了した使用者の操作により受け付けるか、又は外部の装置から入力されることにより、入力部２２でトレイ引き入れの指示を受け付けた場合は（Ｓ１３：ＹＥＳ）、上位制御部２１は、引き出しているトレイ３を移動部２５に移動させることにより、トレイ３を内部に引き入れる（Ｓ１４）。上位制御部２１は、次に、移動部２５に、光ディスクに記録されたデータを光ディスクドライブ部１で読み出すことができる位置にまで、引き入れたトレイ３を移動させ、光ディスクドライブ部１に光ディスクをローディングさせることにより、光ディスクからデータを読み出すための読出準備を行う（Ｓ１５）。なお、光ディスクに記録されたデータを光ディスクドライブ部１で読み出すことができる位置に他のトレイ３がある場合は、上位制御部２１は、予め移動部２５に他のトレイ３を移動させる処理を行う。
【００１９】
上位制御部２１は、データを読み出させるための制御信号をインタフェース部２４から光ディスクドライブ部１へ入力し、光ディスクドライブ部１は、トレイ３に格納された光ディスクからのデータ読取を試行することにより、トレイ３に光ディスクが格納されているか否かを判定する（Ｓ１６）。なお、ディスクチェンジャは、トレイ３に光ディスクが格納されているか否かの判定は、光ディスクドライブ部１以外の部分で判定する形態であってもよい。トレイ３に光ディスクが格納されていない場合は（Ｓ１６：ＮＯ）、ディスクチェンジャは処理を終了する。トレイ３に光ディスクが格納されている場合は（Ｓ１６：ＹＥＳ）、光ディスクドライブ部１は、駆動部１５で光ディスクを駆動し、ピックアップ１６で光ディスクからディスク番号、ディレクトリ情報及び先頭データを読み出す（Ｓ１７）。ステップＳ１７では、ピックアップ１６は、光ディスクが記録しているデータの内、データが記録されている領域の先頭の記録位置を示す予め定められた先頭アドレスから、アドレス順にデータを読み出し、予め定められた所定のデータ量のデータを読み出した時点で読み出しを停止することにより、光ディスクから先頭データを読み出す。また、先頭アドレスと、予め定められた所定のデータ量に応じた、データ読み出しを停止する記録位置である読出停止アドレスとを予め定めておき、ステップＳ１７では、先頭アドレスから読出停止アドレスまで順にデータを読み出すことにより、先頭データを読み出す処理を実行してもよい。
【００２０】
光ディスクドライブ部１の制御部１１は、次に、読み出したディスク番号、ディレクトリ情報及び先頭データを、トレイ３のトレイ番号に関連付けて保存用メモリ１２に記憶させる（Ｓ１８）。ディスクチェンジャは、以上で光ディスクを格納する処理を終了する。なお、ディスクチェンジャが、トレイ３を引き出す形態ではなく、スロットインで光ディスクを投入される構成の場合は、ディスクチェンジャは、ステップＳ１１〜Ｓ１４の処理を行わずにスロットインで光ディスクを受け付け、ステップＳ１６の処理を省略した処理を実行すればよい。また、保存用メモリ１２にディスク番号を記憶しない形態の場合は、ステップＳ１７ではディスク番号を読み出さず、ステップＳ１８ではトレイ番号に関連付けてディレクトリ情報及び先頭データを保存用メモリ１２に記憶させる処理を行う。
【００２１】
図４は、ディスクチェンジャが光ディスクからデータを読み出して出力する処理の手順を示すフローチャートである。ディスクチェンジャは、まず、入力部２２で、格納している光ディスクからデータを読み出して出力することを指示するデータ出力指示を受け付ける（Ｓ２１）。データ出力指示は、本発明における読み出し指示に対応する。ステップＳ２１では、入力部２２は、例えば、トレイ３，３，…の夫々に付せられた番号を指定する指示を使用者の操作により受け付ける。ＣＤを用いた音楽再生又はＤＶＤ若しくはＢＤを用いた映像再生の場合等では、出力すべきデータが特に指定されず、光ディスクからのデータ出力のみが指示されることも多い。この場合には、データを先頭から読み出して出力する。また例えば、入力部２２は、ステップＳ２１で、トレイ番号又はディスク番号を指定し、出力すべきデータを指定した制御信号を外部の装置若しくはリモコンから入力されることより、データ出力の指示を受け付ける。
【００２２】
上位制御部２１は、次に、データを読み出させるための制御信号をインタフェース部２４から光ディスクドライブ部１へ入力する。光ディスクドライブ部１の制御部１１は、指定されたトレイ３のトレイ番号又は指定された光ディスクのディスク番号に関連付けて保存用メモリ１２に記憶してある先頭データを順次読み出し、読み出したデータをバッファメモリ１３に記憶させる処理を開始する（Ｓ２２）。先頭データを全て保存用メモリ１２から読み出した後は、制御部１１は、保存用メモリ１２から先頭データを読み出す処理を終了する。
【００２３】
ステップＳ２２と平行して、上位制御部２１は、移動部２５に、指定されたトレイ３又は指定された光ディスクを格納しているトレイ３を、光ディスクに記録されたデータを光ディスクドライブ部１で読み出すことができる位置にまで移動させることにより、光ディスクからデータを読み出すための読出準備を行う（Ｓ２３）。ステップＳ２３の後は、光ディスクドライブ部１は、駆動部１５で光ディスクを駆動し、ピックアップ１６で光ディスクに記録されたデータを順次読み出し、読み出したデータをバッファメモリ１３で記憶する処理を開始する（Ｓ２４）。ステップＳ２４では、光ディスクドライブ部１は、光ディスクに記録されたデータの内、保存用メモリ１２に記憶した先頭データが記憶されているアドレスに後続するアドレスに記録されているデータから読み出しを開始し、データを順次先読みし、バッファメモリ１３に記憶する。制御部１１は、ディレクトリ情報を用いて、ピックアップ１６で読み出すべきデータのアドレスを指定する処理を行う。
【００２４】
保存用メモリ１２又は光ディスクからのデータ読み出しが開始された後、制御部１１は、保存用メモリ１２からのデータ読み出し、又は光ディスクからのデータ読み出しに平行して、出力すべきデータがバッファメモリ１３に記憶されているか否かを判定する（Ｓ２５）。データ出力の指示によって出力すべきデータが指定されている場合は、制御部１１は、ステップＳ２５で、指定されたデータがバッファメモリ１３に記憶されているか否かを判定する。データ出力のみが指示されている場合は、制御部１１は、ステップＳ２５で、既に出力したデータに後続するデータがバッファメモリ１３に記憶されているか否かを判定する。出力すべきデータがバッファメモリ１３に記憶されていない場合は（Ｓ２５：ＮＯ）、制御部１１は、出力すべきデータが保存用メモリ１２又は光ディスクから読み出されてバッファメモリ１３に記憶されるのを待つために、処理を所定時間待機させ（Ｓ２６）、処理をステップＳ２５へ戻す。なお、ステップＳ２６では、制御部１１は、ディレクトリ情報に基づいて、出力すべきデータの光ディスク上での記録位置を求め、ピックアップ１６に、出力すべきデータを光ディスクから読み出させる処理を行ってもよい。
【００２５】
ステップＳ２５で、出力すべきデータがバッファメモリ１３に記憶されている場合は（Ｓ２５：ＹＥＳ）、制御部１１は、バッファメモリ１３から読み出したデータをインタフェース部１４から出力し、上位制御部２１は、光ディスクドライブ部１から出力されたデータを、インタフェース部２４で受け付け、出力部２３から外部の装置へ出力する処理を行う（Ｓ２７）。なお、音楽ＣＤを用いて先頭の曲から順次音楽再生を行う場合等、データを先頭データから順次出力する場合は、光ディスクに記憶されているデータが先頭データから順次読み出されてバッファメモリ１３に記憶されるので、ステップＳ２５及び２６の処理を省略し、バッファメモリ１３に記憶されるデータをステップＳ２７で順次出力する処理を行ってもよい。制御部１１は、次に、データ出力中止の指示を入力部２２で受け付けるか、又は光ディスクから読み出したデータを全て出力したことによる、データ出力の終了のときが来たか否かを判定する（Ｓ２８）。まだデータ出力の終了のときではない場合は（Ｓ２８：ＮＯ）、制御部１１は、ピックアップ１６に光ディスクからデータを読み出させながら、処理をステップＳ２５へ戻す。データ出力の終了のときが来た場合は（Ｓ２８：ＹＥＳ）、上位制御部２１は、光ディスクからデータを読み出して出力する処理を終了する。ディスクチェンジャからＡＶ装置又はＰＣ等の外部の装置へ出力されたデータを用いて、外部の装置は、音楽再生等の各種のデータ処理を実行する。
【００２６】
以上のように、本発明のデータ読出装置であるディスクチェンジャは、格納した光ディスクに記録されているデータの一部を予め読み出して保存用メモリ１２に記憶しておき、光ディスクに記録されているデータを読み出す際には、光ディスクからデータを読み出すための処理とは平行して、保存用メモリ１２に記憶してあるデータを読み出す。これにより、トレイ３を移動させる等のデータを読み出すための処理を行った後で光ディスクからデータの読み出しを開始する前に、光ディスクに記録されているデータの内で保存用メモリ１２に記憶してあるデータを読み出すことになる。データ出力の指示を受け付けた場合、ディスクチェンジャは、光ディスクからのデータ読み出しを開始する前に、保存用メモリ１２からデータを読み出してＡＶ装置等の外部の装置へ出力するので、データ出力の指示を受け付けてから実際にデータを出力するまでのタイムラグが大幅に短縮される。ディスクチェンジャから迅速にデータが出力されるので、ＡＶ装置等の外部の装置は、光ディスクに記録されたデータを用いた音楽再生等のデータ処理を迅速に実行することが可能となる。また、音楽再生等のデータ処理では、光ディスクに記録されたデータに対して先頭から順次データ処理を行うことが多いので、本発明では、保存用メモリ１２に記憶するデータを先頭アドレスから所定の容量だけ記録された先頭データとすることにより、迅速なデータ処理が可能となる。
【００２７】
なお、本実施の形態においては、複数のトレイ３，３，…を用いて複数の光ディスクを格納する形態を示したが、ディスクチェンジャは、ターンテーブル又は縦置きトレイ等の他の手段を用いて複数の光ディスクを格納する形態であってもよい。また本実施の形態においては、光ディスクに記録しているデータの内で先頭データを保存用メモリ１２に記憶する形態を示したが、本発明は、光ディスクに記録している音楽等の複数のコンテンツデータの夫々の先頭部分等、先頭データ以外のデータを保存用メモリ１２に記憶する形態であってもよい。また本実施の形態においては、光ディスクドライブ部１は保存用メモリ１２とバッファメモリ１３とを個別に備える形態を示したが、本発明は、これに限るものではなく、バッファメモリ１３を備えずに、不揮発性メモリで構成された保存用メモリ１２をバッファメモリとしても使用する形態であってもよい。この形態のディスクチェンジャは、保存用メモリ１２から読み出したデータをバッファメモリに記憶させずに外部へ出力する処理を行う。また本実施の形態においては、ディスクチェンジャが光ディスクから読み出したデータをそのまま出力する装置である形態を示したが、ディスクチェンジャは、光ディスクから読み出したデータに対してデコード等のデータ処理を実行する機能を備えた形態、又はデータを光ディスクに記録させる機能を備えた形態であってもよい。また本実施の形態においては、本発明のデータ読出装置は可搬型の記録媒体として光ディスクを使用するディスクチェンジャである形態を示したが、本発明のデータ読出装置は、磁気ディスク又は光磁気ディスク等の光ディスク以外の記録媒体を使用する形態であってもよい。
【符号の説明】
【００２８】
１  光ディスクドライブ部
１１  制御部
１２  保存用メモリ（記憶手段）
１３  バッファメモリ
１６  ピックアップ（読出手段）
２１  上位制御部
２２  入力部
２３  出力部
２５  移動部
３  トレイ
【図１】
2011108338.tif 000003
【図２】
2011108338.tif 000004
【図３】
2011108338.tif 000005
【図４】
2011108338.tif 000006